(57)【要約】【課題】顧客に想定されるリスクを適格に顧客へ提示し、さらに、そのリスクをカバーする保険を顧客へ提案する。【解決手段】保険加入支援サーバであって、顧客と対応づけて、顧客の属性を格納する顧客属性格納部と、ネットワークを介して販売される商品の商品情報と対応づけて、商品の顧客に想定される行動パターンに基づく行動リスクを格納する行動リスク格納部と、顧客がネットワークを介して商品を選択した場合に、行動リスク格納部および顧客属性格納部を参照することにより、商品を選択した顧客の属性および選択された商品の商品情報に対応づけられた行動パターンの行動リスクに基づいて、顧客に関するリスクを出力するリスク出力部とを備える。【選択図】  図２
2004192571.tif 000002
【特許請求の範囲】
【請求項１】
保険加入支援サーバであって、
顧客と対応づけて、前記顧客の属性を格納する顧客属性格納部と、
ネットワークを介して販売される商品の商品情報と対応づけて、前記商品の顧客に想定される行動パターンに基づく行動リスクを格納する行動リスク格納部と、
顧客がネットワークを介して前記商品を選択した場合に、前記行動リスク格納部および前記顧客属性格納部を参照することにより、前記商品を選択した前記顧客の前記属性および選択された前記商品の前記商品情報に対応づけられた前記行動パターンの前記行動リスクに基づいて、前記顧客に関するリスクを出力するリスク出力部と
を備える保険加入支援サーバ。
【請求項２】
属性と対応づけて、前記属性について想定されるリスクである属性リスクを格納する属性リスク格納部をさらに備え、
前記リスク出力部は、前記商品を選択した前記顧客について、前記属性リスク格納部の前記属性リスクと、前記行動リスク格納部の前記行動リスクとが一致しているか否かを判断し、一致していない場合には、一致しない前記行動リスクを前記顧客に関する前記リスクとして出力する請求項１に記載の保険加入支援サーバ。
【請求項３】
前記リスク出力部により一致していないと判断された前記属性リスクと関連付けられた前記属性を、前記顧客属性格納部において、前記行動リスクに相当する属性リスクに対応づけられた属性に書き換える属性書換部をさらに備える請求項２に記載の保険加入支援サーバ。
【請求項４】
前記属性書換部は、前記顧客属性格納部の前記属性を書き換えるかどうかを顧客に確認させる請求項３に記載の保険加入支援サーバ。
【請求項５】
前記商品情報に対応づけて、前記商品を選択した顧客に対する質問項目を格納する質問項目格納部と、
前記顧客が前記商品を選択した場合に、前記質問項目格納部を参照して、前記顧客に対して前記商品に対応づけられた前記質問項目の回答を要求する質問回答要求部と
をさらに備え、
前記リスク出力部は、前記行動リスク格納部および前記顧客属性格納部を参照することにより、前記商品を選択した前記顧客の前記属性および選択された前記商品の前記商品情報に対応づけられた前記行動パターンの前記行動リスク、ならびに前記回答に基づいて、前記顧客に関する前記リスクを出力する請求項１に記載の保険加入支援サーバ。
【請求項６】
選択された前記商品の前記商品情報を前記顧客と対応づけて格納する選択商品格納部をさらに備え、
前記リスク出力部は、前記顧客が新たに商品を選択した場合に、前記顧客属性格納部、前記選択商品格納部および前記行動リスク格納部を参照することにより、新たな前記商品を選択した前記顧客の属性、新たな前記商品の前記商品情報に対応づけられた前記行動パターンの前記行動リスクおよび前記選択商品格納部に格納された前記商品情報に対応づけられた行動パターンの行動リスクに基づいて、前記顧客に関する前記リスクを出力する請求項１に記載の保険加入支援サーバ。
【請求項７】
保険をリスクに対応づけて格納するリスク保険格納部と、
前記リスク出力部により出力された前記リスク基づいて、前記リスク保険格納部を参照することにより、保険を出力する保険出力部と
をさらに備える請求項１から６のいずれかに記載の保険加入支援サーバ。
【請求項８】
加入した保険を顧客と対応づけて格納する加入保険格納部をさらに備え、
前記保険出力部は、出力した前記保険に前記顧客がすでに加入していたか否かを、前記加入保険格納部を参照することにより判断し、すでに加入していたと判断した場合には、前記保険の保険内容をさらに出力する請求項７に記載の保険加入支援サーバ。
【請求項９】
前記保険出力部は、出力した前記保険に前記顧客がまだ加入していないと判断した場合には、前記保険に加入するための申込書をさらに出力する請求項８に記載の保険加入支援サーバ。
【請求項１０】
保険加入支援サーバおよび前記保険加入サーバとネットワークを介して接続される保険支援端末を備える保険加入支援システムであって、
前記保険加入支援サーバは、
顧客と対応づけて、前記顧客の属性を格納する顧客属性格納部と、
前記ネットワークを介して販売される商品の商品情報と対応づけて、前記商品の顧客に想定される行動パターンに基づく行動リスクを格納する行動リスク格納部と、
顧客が前記商品を選択した旨を前記保険加入端末から入力した場合に、前記行動リスク格納部および前記顧客属性格納部を参照することにより、前記商品を選択した前記顧客の前記属性および選択された前記商品の前記商品情報に対応づけられた前記行動パターンの前記行動リスクに基づいて、前記顧客に関するリスクを前記保険支援端末へ出力するリスク出力部とを有し、
前記保険加入端末は、前記顧客が前記ネットワークを介して販売される前記商品を選択した場合に、その旨を前記保険加入支援サーバに出力し、前記保険加入サーバから入力した前記リスクを表示することを特徴とする保険加入支援システム。
【請求項１１】
保険加入支援方法であって、
顧客と対応づけて、前記顧客の属性を格納し、
ネットワークを介して販売される商品の商品情報と対応づけて、前記商品の顧客に想定される行動パターンに基づく行動リスクを格納し、
顧客がネットワークを介して前記商品を選択した場合に、前記行動リスク格納部および前記顧客属性格納部を参照することにより、前記商品を選択した前記顧客の前記属性および選択された前記商品の前記商品情報に対応づけられた前記行動パターンの前記行動リスクに基づいて、前記顧客に関するリスクを出力する保険加入支援方法。
【発明の詳細な説明】
【０００１】
【発明の属する技術分野】
本発明は、保険加入支援サーバ、保険加入支援システム、および保険加入支援方法に関する。特に本発明は、顧客のリスクに応じた保険を提示する保険加入支援サーバに関する。
【０００２】
【従来の技術】
従来、保険会社は、インターネットショッピングサイトにおいて、保険商品を提供している（例えば、非特許文献１に記載）。インターネットショッピングサイトが保険商品を提供する場合は、顧客は、自らでリスクを判断しつつ、保険商品を選択する。
【０００３】
【非特許文献１】
"ＡＩＵのオンライン契約サービス"、［ｏｎｌｉｎｅ］、ＡＩＵ保険会社、[２００２年８月７日検索]、インターネット＜ＵＲＬ：ｈｔｔｐ：／／ｗｗｗ．ａｉｕ．ｃｏ．ｊｐ＞
【０００４】
【発明が解決しようとする課題】
しかしながら、顧客は、保険会社と比較してリスクを判断するための十分な知識を持たない。よって、顧客は、自らに想定されるリスクを適格に把握できず、そのリスクをカバーする保険を選択することができなかった。また、保険会社は、インターネットショッピングサイトにおいて、適切な保険を顧客に提示することが困難であった。
【０００５】
そこで本発明は、上記の課題を解決することのできる保険加入支援サーバを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、保険加入支援サーバは、顧客と対応づけて、顧客の属性を格納する顧客属性格納部と、ネットワークを介して販売される商品の商品情報と対応づけて、商品の顧客に想定される行動パターンに基づく行動リスクを格納する行動リスク格納部と、顧客がネットワークを介して商品を選択した場合に、行動リスク格納部および顧客属性格納部を参照することにより、商品を選択した顧客の属性および選択された商品の商品情報に対応づけられた行動パターンの行動リスクに基づいて、顧客に関するリスクを出力するリスク出力部とを備える。
【０００７】
保険加入支援サーバは、属性と対応づけて、属性について想定されるリスクである属性リスクを格納する属性リスク格納部をさらに備え、リスク出力部は、商品を選択した顧客について、属性リスク格納部の属性リスクと、行動リスク格納部の行動リスクとが一致しているか否かを判断し、一致していない場合には、一致しない行動リスクを顧客に関するリスクとして出力してもよい。
【０００８】
保険加入支援サーバは、リスク出力部により一致していないと判断された属性リスクと関連付けられた属性を、顧客属性格納部において、行動リスクに相当する属性リスクに対応づけられた属性に書き換える属性書換部をさらに備えてもよい。
【０００９】
保険加入支援サーバにおいて、属性書換部は、顧客属性格納部の属性を書き換えるかどうかを顧客に確認させてもよい。
【００１０】
保険加入支援サーバは、商品情報に対応づけて、商品を選択した顧客に対する質問項目を格納する質問項目格納部と、顧客が商品を選択した場合に、質問項目格納部を参照して、顧客に対して商品に対応づけられた質問項目の回答を要求する質問回答要求部とをさらに備え、リスク出力部は、行動リスク格納部および顧客属性格納部を参照することにより、商品を選択した顧客の属性および選択された商品の商品情報に対応づけられた行動パターンの行動リスク、ならびに回答に基づいて、顧客に関するリスクを出力してもよい。
【００１１】
保険加入支援サーバは、選択された商品の商品情報を顧客と対応づけて格納する選択商品格納部をさらに備え、リスク出力部は、顧客が新たに商品を選択した場合に、顧客属性格納部、選択商品格納部および行動リスク格納部を参照することにより、新たな商品を選択した顧客の属性、新たな商品の商品情報に対応づけられた行動パターンの行動リスク、および選択商品格納部に格納された商品情報に対応づけられた行動パターンの行動リスクに基づいて、顧客に関するリスクを出力してもよい。
【００１２】
保険加入支援サーバは、保険をリスクに対応づけて格納するリスク保険格納部と、リスク出力部により出力されたリスク基づいて、リスク保険格納部を参照することにより、保険を出力する保険出力部とをさらに備えてもよい。
【００１３】
保険加入支援サーバは、加入した保険を顧客と対応づけて格納する加入保険格納部をさらに備え、保険出力部は、出力した保険に顧客がすでに加入していたか否かを、加入保険格納部を参照することにより判断し、すでに加入していたと判断した場合には、保険の保険内容をさらに出力してもよい。
【００１４】
保険加入支援サーバにおいて、保険出力部は、出力した保険に顧客がまだ加入していないと判断した場合には、保険に加入するための申込書をさらに出力してもよい。
【００１５】
本発明の第２の形態によれば、保険加入支援サーバおよび保険加入サーバとネットワークを介して接続される保険支援端末を備える保険加入支援システムであって、保険加入支援サーバは、顧客と対応づけて、顧客の属性を格納する顧客属性格納部と、ネットワークを介して販売される商品の商品情報と対応づけて、商品の顧客に想定される行動パターンに基づく行動リスクを格納する行動リスク格納部と、顧客が商品を選択した旨を保険加入端末から入力した場合に、行動リスク格納部および顧客属性格納部を参照することにより、商品を選択した顧客の属性および選択された商品の商品情報に対応づけられた行動パターンの行動リスクに基づいて、顧客に関するリスクを保険支援端末へ出力するリスク出力部とを有する保険加入端末は、顧客がネットワークを介して販売される商品を選択した場合に、その旨を保険加入支援サーバに出力し、保険加入サーバから入力したリスクを表示する。
【００１６】
本発明の第３の形態によれば、保険加入支援方法であって、顧客と対応づけて、顧客の属性を格納し、ネットワークを介して販売される商品の商品情報と対応づけて、商品の顧客に想定される行動パターンに基づく行動リスクを格納し、顧客がネットワークを介して商品を選択した場合に、行動リスク格納部および顧客属性格納部を参照することにより、商品を選択した顧客の属性および選択された商品の商品情報に対応づけられた行動パターンの行動リスクに基づいて、顧客に関するリスクを出力する。
【００１７】
なお上記の発明の概要は、本発明の必要な特徴の全てを列挙したものではなく、これらの特徴群のサブコンビネーションも又発明となりうる。
【００１８】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１９】
図１は、本実施の形態に係る保険加入支援システム１００の構成を示す。保険加入支援システム１００は、顧客端末４０と、顧客端末４０に接続されるネットワーク５０と、ネットワーク５０に接続されるインターネットショッピングサーバ６０と、ネットワーク５０に接続される保険加入支援サーバ１０とを備える。保険加入支援サーバ１０は、例えば保険会社が管理、および運用する。インターネットショッピングサーバ６０は、例えばインターネットショッピングサイト運営者または保険会社が管理、および運用する。
【００２０】
保険会社は、インターネットショッピングサイトにおいて保険商品を提供している。ところが、顧客は、保険会社と比較してリスクを判断するための十分な知識を持たないので、自らに想定されるリスクを適格に把握できず、そのリスクをカバーする保険を選択することができなかった。また、保険会社は、インターネットショッピングサイトにおいては、適切な保険を顧客に提示することが困難であった。
【００２１】
そこで本実施形態に係る保険加入支援サーバ１０は、顧客に想定されるリスクを適格に顧客へ提示し、さらに、そのリスクをカバーする保険を顧客へ提案することを目的とする。
【００２２】
図２は、保険加入支援サーバ１０の機能構成を示す。保険加入支援サーバ１０は、顧客属性格納部１２と、行動リスク格納部１４と、属性リスク格納部１６と、属性書換部１８と、質問項目格納部２０と、質問回答要求部２２と、選択商品格納部２４と、リスク出力部２６と、リスク保険格納部２８と、保険出力部３０と、加入保険格納部３２とを有する。
【００２３】
顧客属性格納部１２は、顧客と対応づけて顧客の属性を格納する。属性は、属性項目および属性値を含む。属性項目は、例えば年齢、性別、配偶者、子供の人数、住所、または住居形態などの属性における詳しい項目である。また、属性値は、各属性項目に関して顧客がとり得る可能性のある値である。顧客属性格納部１２は、各属性項目に関して、対応づけられた顧客に当てはまる属性値を格納する。
【００２４】
行動リスク格納部１４は、ネットワーク５０を介して販売される商品の商品情報と対応づけて、商品の顧客に想定される行動パターンに基づく行動リスクを格納する。顧客が商品を選択する場合、選択した商品の商品情報と対応づけて単数または複数の行動パターンが、その顧客に想定される。その行動パターンを顧客が実際に行動することにより、行動パターンにともなう行動リスクが生じる。そこで、行動リスク格納部１４は、その行動リスクを商品情報と対応づけて格納する。
【００２５】
属性リスク格納部１６は、属性と対応づけて、属性について想定されるリスクである属性リスクを格納する。顧客が特定の属性を持つ場合、顧客の持つ属性と対応づけて単数または複数の属性リスクが、その顧客に想定される。属性リスク格納部１６は、各属性項目に関して顧客がとり得る可能性がある属性値について、この属性値を有する顧客に想定されるリスクである属性リスクを格納する。
【００２６】
リスク出力部２６は、顧客がネットワーク５０を介してインターネットショッピングサーバ６０により提供される商品を選択した場合に、行動リスク格納部１４および顧客属性格納部１２を参照することにより、商品を選択した顧客の属性および選択された商品の商品情報に対応づけられた行動パターンの行動リスクに基づいて、顧客に関するリスクを出力する。リスク出力部２６は、商品を選択した顧客について、属性リスク格納部１６の属性リスクと、行動リスク格納部１４の行動リスクとが一致しているか否かを判断し、一致していない場合には、一致しない行動リスクを顧客に関するリスクとして出力してもよい。この場合、リスク出力部２６は、想定される行動パターンの行動リスクについて順次、顧客に対応づけられた属性の属性リスクに同じリスクがあるか否かを判断する。そして、リスク出力部２６は、属性リスクに同じリスクがない行動リスクを、選択した商品についての顧客に関するリスクとして出力する。
【００２７】
顧客がネットワーク５０を介して提供される商品を選択する１例は、代金を支払って商品を購入することである。リスク出力部２６は、顧客が商品を代金を支払って購入した場合に、顧客に関するリスクを出力する。また、顧客がネットワーク５０を介して提供される商品を選択する他の例は、顧客端末４０の画面上で興味の対象として選択することである。リスク出力部２６は、顧客が商品を顧客端末４０の画面上で興味の対象として選択した場合に、顧客に関するリスクを出力してもよい。
【００２８】
属性書換部１８は、リスク出力部２６により一致していないと判断された属性リスクと関連づけられた属性を、顧客属性格納部１２において、行動リスクに相当する属性リスクに対応づけられた属性に書き換える。また、属性書換部１８は、顧客属性格納部１２の属性を書き換えるかどうかを顧客に確認させる。
【００２９】
質問項目格納部２０は、商品情報に対応づけて、商品を選択した顧客に対する質問項目を格納する。本実施形態においては、質問項目は、その質問項目に対する顧客の回答によって、選択した商品に関して顧客が実際に行動する可能性が高い行動パターンを抽出するための質問である。例えば、商品情報が「たんす」である場合、質問項目は、「マイホームを購入するご予定ですか？」および「結婚するご予定ですか？」である。
【００３０】
質問回答要求部２２は、顧客が商品を選択した場合に、選択された商品の商品情報をリスク出力部２６から取得する。続いて、質問回答要求部２２は、質問項目格納部２０を参照して、その商品情報に対応づけられた質問項目を質問項目格納部２０から読み出す。さらに、質問回答要求部２２は、読み出した質問項目をネットワーク５０を介して顧客端末４０に送信して、商品情報に対応づけられた質問項目の回答を顧客に対して要求する。
【００３１】
選択商品格納部２４は、選択された商品の商品情報を顧客と対応づけて格納する。選択商品格納部２４は、顧客が商品を選択するごとにリスク出力部２６から商品情報を取得して、顧客と対応づけて格納することにより、顧客に関する過去の選択履歴を管理する。
【００３２】
保険格納部２８は、顧客に生じるリスクをカバーする保険を、リスクに対応づけて格納する。例えば、顧客に生じるリスクが損害額約百万円の火災である場合には、損害額約百万円の火災に対応づけて限度額百万円の火災保険を格納する。
【００３３】
加入保険格納部３２は、顧客が加入した保険を顧客と対応づけて格納する。
【００３４】
保険出力部３０は、リスク出力部２６により出力されたリスクに基づいて、保険格納部２８を参照することにより、顧客個人に関する保険を出力する。さらに、保険出力部３０は、出力した保険に顧客がすでに加入していたか否かを、加入保険格納部３２を参照することにより判断し、すでに加入していたと判断した場合には、顧客が加入している保険の保険内容を出力する。加えて、保険出力部３０は、出力した保険に顧客がまだ加入していないと判断した場合には、保険に加入するための申込書を出力する。
【００３５】
以上の構成により、保険加入支援サーバ１０は、顧客の属性および顧客が選択した商品の商品情報に基づいて、顧客個人に関して想定される適格なリスクを顧客へ提示することができる。さらに、保険加入支援サーバ１０は、顧客に想定されたリスクをカバーする適切な保険を、顧客へ提案することができる。
【００３６】
図３は、顧客属性格納部１２のデータフォーマットの一例を示す。顧客属性格納部１２は、顧客と対応づけて顧客の属性を格納する。属性は、属性項目および属性値を含む。顧客属性格納部１２は、図３に示す例では、顧客スミトモタロウの属性として属性項目「年齢」に関して属性値「４５」と、「性別」に関して「男」と、「配偶者」に関して「有」と、「子供の人数」に関して「２」と、「住居形態」に関して「借家」と、「住所」に関して「神奈川」とを格納する。
【００３７】
図４は、属性リスク格納部１６のデータフォーマットの一例を示す。属性リスク格納部１６は、属性と対応づけて、属性について想定されるリスクである属性リスクを格納する。属性は、属性項目および属性値を含む。図４に示す例では、属性項目の「配偶者」における属性値は「有」または「無」である。配偶者をもつ顧客には、家族の傷害のリスクが想定されるので、属性リスク格納部１６は、属性項目「配偶者」において属性値が「有」と対応づけて、属性リスクとして「家族傷害」を格納する。また、配偶者をもたない顧客には、顧客本人の傷害のリスクが想定されるので、属性リスク格納部１６は、属性項目「配偶者」において属性値が「無」と対応づけて、属性リスクとして「個人傷害」を格納する。
【００３８】
以上のように、属性リスク格納部１６が属性と対応づけて属性について想定されるリスクである属性リスクを格納するので、リスク出力部２６は、顧客属性格納部１２から読み出した顧客の属性について適格な属性リスクを、即時に属性リスク格納部１６から読み出すことができる。これにより、リスク出力部２６は、顧客の属性に基づいて、ある属性を対応づけられる顧客にどうのようなリスクが生じるかを、迅速に判断することができる。
【００３９】
図５は、行動リスク格納部１４のデータフォーマットの一例を示す。行動リスク格納部１４は、ネットワーク５０を介して販売される商品の商品情報と対応づけて、商品の顧客に想定される行動パターン、および行動パターンにともない生じる行動リスクを格納する。例えば、行動リスク格納部１４は、商品情報「たんす」と対応づけて「マイホーム購入」および「結婚」を、顧客に想定される行動パターンとして格納する。顧客が実際に「マイホーム購入」する場合、マイホームの火災による高い損害額のリスクが生じるので、行動リスク格納部１４は、行動パターン「マイホーム購入」と対応づけて、「損害額約一億円の火災」を行動リスクとして格納する。一方、顧客が実際に「結婚」する場合、家族ができることにより自分のみならずその家族にも傷害を受けるリスクが生じるので、行動リスク格納部１４は、行動パターン「結婚」と対応づけて、「家族傷害」を行動リスクとして格納する。
【００４０】
したがって、行動リスク格納部１４は、顧客が選択した商品の商品情報と対応づけて、商品の顧客に想定される行動パターンの行動リスクを格納するので、リスク出力部２６は、顧客が選択した商品の商品情報について適格な行動リスクを、行動リスク格納部１４から読み出すことができる。これにより、リスク出力部２６は、顧客が選択した商品の商品情報に基づいて、顧客がどのような行動をとるか、および行動にともない顧客にどうのようなリスクが生じるかを、迅速に判断することができる。
【００４１】
図６は、保険加入支援サーバ１０の動作の一例を示すフローチャートである。顧客属性格納部１２は、顧客と対応づけて顧客の属性を格納する（Ｓ１００）。顧客が、ネットワーク５０を介してインターネットショッピングサーバ６０により提供される商品を選択すると（Ｓ１０２）、リスク出力部２６は、商品を選択した顧客に対応づけられた属性を、顧客属性格納部１２から読み出す。続いて、リスク出力部２６は、読み出した属性に対応づけられた属性リスクを、属性リスク格納部１６から読み出す。さらに、リスク出力部２６は、顧客が選択した商品の商品情報に対応づけられた行動パターン、および行動パターンに対応づけられた行動リスクを、行動リスク格納部１４から読み出す。リスク出力部２６は、読み出した行動リスクについて順次、読み出した属性リスクに同じリスクがあるか否かを判断する（Ｓ１０４）。読み出したすべての行動リスクについて属性リスクに同じリスクがある場合、その商品に関連して顧客に想定される新たなリスクは生じないとして、保険加入支援サーバ１０の動作は終了する。属性リスクに同じリスクがない場合、その商品に関連して顧客に想定される新たなリスクが生じるとして、リスク出力部２６は、属性リスクに同じリスクがない行動リスクを、顧客に関するリスクとして出力する（Ｓ１０６）。
【００４２】
例えば、顧客属性格納部１２は、顧客スミトモタロウと対応づけて、住居形態「借家」および配偶者「有」を属性値として格納する。顧客がネットワーク５０を介してたんすを選択した場合に、リスク出力部２６は、顧客属性格納部１２から顧客に対応づけられた属性値として住居形態「借家」および配偶者「有」を読み出す。続いて、リスク出力部２６は、読み出した属性値に対応づけられた属性リスク「損害額約百万円の火災」および「家族傷害」を、属性リスク格納部１６から読み出す。さらに、リスク出力部２６は、商品情報「たんす」に対応づけられる行動パターン「マイホーム購入」および「結婚」、ならびに行動パターンに対応づけられる行動リスク「損害額約一億円の火災」および「家族傷害」を、行動リスク格納部１４から読み出す。リスク出力部２６は、読み出した行動リスク「損害額約一億円の火災」について、読み出した属性リスクに同じリスクがないと判断する。続いて、リスク出力部２６は、読み出した行動リスク「家族傷害」については、属性リスクに同じリスクがあると判断する。そして、リスク出力部２６は、行動リスク「損害額約一億円の火災」を新たに生じるリスクであると判断して、顧客に関するリスクとして出力する。
【００４３】
属性書換部１８は、リスク出力部２６において属性リスクに同じリスクがないと判断された行動リスクに対して、属性リスク格納部１６において同じ内容をもつ属性リスクを特定する。続いて、属性書換部１８は、その特定された属性リスクに対応づけられる属性項目について、顧客属性格納部１２において顧客に対応づけられた属性の属性項目に同じ項目があるか否かを判断する（Ｓ１０８）。同じ属性項目がない場合、顧客の属性に変化がないとして、保険加入支援サーバ１０の動作はステップ１１４に進む。同じ属性項目がある場合、属性書換部１８は、顧客に顧客属性格納部１２おいて顧客に対応づけられた属性を書き換えるかどうかを顧客に確認させる（Ｓ１１０）。属性を書き換えない場合、保険加入支援サーバ１０の動作はステップ１１４に進む。属性を書き換える場合、属性書換部１８は、同じ項目があると判断された属性項目に関する属性値を、行動リスクと同じ内容の属性リスクに対応づけられる属性値に書き換える（Ｓ１１２）。
【００４４】
例えば、属性書換部１８は、リスク出力部２６において属性リスクに同じリスクがないと判断された行動リスク「損害額約一億円の火災」に対して、属性リスク格納部１６において同じ内容をもつ属性リスク「損害額約一億円の火災」を特定する。続いて、属性書換部１８は、特定された属性リスクに対応づけられる属性項目「住居形態」について、顧客属性格納部１２において顧客に対応づけられた属性に同じ属性項目「住居形態」があると判断する。よって、顧客が属性を書き換えることを希望する場合、属性書換部１８は、顧客属性格納部１２おいて顧客に対応づけられた属性である住居形態「借家」を、行動リスク「損害額約一億円の火災」と同じ内容の属性リスク「損害額約一億円の火災」に対応づけられる属性値である住居形態「持ち家」に書き換える。
【００４５】
保険出力部３０は、ネットワーク５０を介して顧客端末４０から顧客が加入した保険の情報を取得する。加入保険格納部３２は、保険出力部３０が取得した顧客が加入した保険を、顧客と対応づけて格納する。保険出力部３０は、リスク出力部２６が出力したリスクに対応づけられた保険を、リスク保険格納部２８から読み出し、読み出した保険を出力する（Ｓ１１４）。続いて、保険出力部３０は、リスクを出力された顧客に対応づけられる保険を加入保険格納部３２から読み出し、出力した保険に顧客がすでに加入していたか否かを判断する（Ｓ１１６）。そして、出力した保険にすでに顧客が加入していたと保険出力部３０が判断した場合は、保険出力部３０は、出力した保険とともに、加入保険格納部３２から読み出した顧客がすでに加入している保険の保険内容を合わせて出力する（Ｓ１１８）。出力した保険にまだ顧客が加入していないと保険出力部３０が判断した場合は、保険出力部３０は、出力した保険とともに、出力した保険に加入するための申込書を合わせて出力する（Ｓ１２０）。以上で本フローチャートは終了する。
【００４６】
例えば、加入保険格納部３２は、顧客が加入した保険として「限度額百万円の火災保険」を、顧客と対応づけて格納する。保険出力部３０は、リスク出力部２６が出力したリスク「損害額約一億円の火災」に対応づけられる「限度額一億円の火災保険」を、リスク保険格納部２８から読み出し、読み出した保険を出力する。続いて、保険出力部３０は、顧客が加入した保険として「限度額百万円の火災保険」を加入保険格納部３２から読み出す。出力した「限度額一億円の火災保険」と読み出した「限度額百万円の火災保険」とは一致していないので、保険出力部３０は、出力した保険にまだ顧客が加入していないと判断して、限度額一億円の火災保険に加入するための申込書を合わせて出力する。
【００４７】
以上の動作により、保険加入支援サーバ１０は、商品を選択した顧客に対して、顧客の属性および顧客が選択した商品の商品情報から判断される属性リスクおよび行動リスクに基づいて、顧客個人に関するリスクを判断して提示することができる。また、属性リスクと行動リスクとが一致しない場合、保険加入支援サーバ１０は、顧客の属性に変更の可能性があると判断し、顧客に対応づけられた属性を書き換えることができる。さらに、提示したリスクをカバーする保険を顧客に提案することができる。
【００４８】
リスク出力部２６は、行動リスク格納部１４および顧客属性格納部１２を参照することにより、商品を選択した顧客の属性および選択された商品の商品情報に対応づけられた行動パターンの行動リスク、ならびに質問回答要求部２２から読み出した質問項目に対する顧客の回答に基づいて、顧客に関するリスクを出力してもよい。
【００４９】
例えば、質問回答要求部２２は、顧客スミトモタロウが選択した商品の商品情報「たんす」について質問項目格納部２０から読み出した質問項目である「マイホームを購入するご予定ですか？」および「結婚するご予定ですか？」に対する顧客の回答として、「はい。マイホームを購入する予定です。」および「いいえ。結婚は既にしています。」を取得する。この場合、リスク出力部２６は、読み出した顧客の属性、行動パターン、および行動リスク、ならびに顧客の質問項目に対する回答から、顧客が実際に「マイホーム購入」すると判断する。よって、リスク出力部２６は、読み出した行動リスク「損害額約一億円の火災」および「家族傷害」から、行動パターン「マイホーム購入」にともない生じるリスク「損害額約一億円の火災」を、顧客に関するリスクとして出力する。
【００５０】
したがって、保険加入支援サーバ１０は、顧客が選択した商品の商品情報に対応づけられた質問項目に対する顧客の回答に基づいて顧客個人に関してリスクを判断するので、保険加入支援サーバ１０は、顧客にとってさらに適格なリスクを、顧客へ提示することができる。
【００５１】
リスク出力部２６は、顧客が新たに商品を選択した場合に、顧客属性格納部１２、選択商品格納部２４および属性リスク格納部１６を参照することにより、新たな商品を選択した顧客の属性、新たな商品の商品情報に対応づけられた行動パターンの行動リスクおよび選択商品格納部２４に格納された商品情報に対応づけられた行動パターンの行動リスクに基づいて、顧客に関するリスクを出力してもよい。
【００５２】
例えば、顧客スミトモタロウが以前、水中メガネを選択していた場合、選択商品格納部２４は、選択された商品の商品情報「水中メガネ」を、顧客と対応づけて格納する。顧客が、新たにネットワーク５０を介してウェットスーツを選択すると、リスク出力部２６は、顧客が新たに選択した商品の商品情報「ウェットスーツ」に対応づけられた行動パターン「サーフィン」、「ダイビング」、および「ヨット」、ならびに行動パターンに対応づけられた行動リスク「個人傷害」、「サーフィン事故」、「ダイビング事故」、および「ヨット事故」を、行動リスク格納部１４から読み出す。リスク出力部２６は、選択商品格納部２４に格納された商品情報「水中メガネ」に対応づけられた行動パターン「ダイビング」および「シュノーケリング」、ならびに行動パターンに対応づけられた行動リスク「個人傷害」、「ダイビング事故」、および「シュノーケリング事故」を、行動リスク格納部１４からさらに読み出す。したがって、リスク出力部２６は、「ダイビング」が、さらに読み出した行動パターンと顧客が新たに購入した商品の商品情報に対応づけられた行動パターンとにおいて、同じ行動パターンであると判断して、「ダイビング」にともない生じるリスク「個人傷害」および「ダイビング事故」を、顧客に関するリスクとして出力する。
【００５３】
また、リスク出力部２６は、顧客属性格納部１２において顧客に対応づけられる属性である住所「山梨」を参照して、顧客の住居からダイビングする海へ移動する距離が長いと判断し、顧客が車で海まで移動すると想定して、さらに「自動車事故」を顧客に関するリスクとして出力する。
【００５４】
したがって、顧客が過去に選択した商品の商品情報に対応づけられた行動パターンおよび行動リスクに基づいて顧客個人に関してリスクを判断するので、保険加入支援サーバ１０は、さらに適格なリスクを、顧客へ提示することができる。
【００５５】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【図面の簡単な説明】
【図１】本実施の形態に係る保険加入支援システム１００の構成を示す概略図である。
【図２】保険加入支援サーバ１０の機能構成を示すブロック図である。
【図３】顧客属性格納部１２のデータフォーマットの一例を示す図である。
【図４】属性リスク格納部１６のデータフォーマットの一例を示す図である。
【図５】行動リスク格納部１４のデータフォーマットの一例を示す図である。
【図６】保険加入支援サーバ１０の動作の一例を示すフローチャートである。
【符号の説明】
１００...保険加入支援システム、１０...保険加入支援サーバ、１２...顧客属性格納部、１４...行動リスク格納部、１６...属性リスク格納部、１８...属性書換部、２０...質問項目格納部、２２...質問回答要求部、２４...選択商品格納部、２６...リスク出力部、２８...リスク保険格納部、３０...保険出力部、３２...加入保険格納部、４０...顧客端末、５０...ネットワーク、６０...インターネットショッピングサーバ、１００...保険加入支援システム
【図１】
2004192571.tif 000003
【図２】
2004192571.tif 000004
【図３】
2004192571.tif 000005
【図４】
2004192571.tif 000006
【図５】
2004192571.tif 000007
【図６】
2004192571.tif 000008